(57)【要約】【課題】コースター上のコップ等を持ち上げてもコップと共に持ち上がることを防止するコースターを提供することである。【解決手段】複数の層からから構成されており、その表層部の上面に刺繍２で部分的に柄や文字を縫い付け浮上面を作る更に表層３には表面に繊維素９が密着した繊維生地が用いられ、その裏層５には樹脂シートが用いられ、その間に表層３側の面にその面全体にわたって多数の凸部が形成された樹脂シートからなる中間層４を介在させ、裏層５の裏面はつや出し加工がなされている。【選択図】図１
0003151797.tif 000002
【実用新案登録請求の範囲】
【請求項１】
合成樹脂性の裏面につや出し加工した下面シートと、この下面シートの上面に貼着される表面が凸凹に形成された合成樹脂性の粗面中間シートと、更に粗面中間シートの上面に繊維素が密集した不織布製の表層部シートと、更に不織布製の表層シートの表面に繊維糸或いは合成繊維糸を使用して部分的に図柄や文字等の刺繍部とでなした事を特徴としたコースター
【考案の詳細な説明】
【技術分野】
【０００１】本考案は、コップ等を敷く、複数の層からなり表層部の上面に刺繍で図柄や文字等を施しているコースターに関する。
【背景技術】
【０００２】従来、コースターとして、布製、紙製、木製、プラスチック製等の平板が用いられている。また上面に印刷加工が施されている。
【考案の開示】
【考案が解決しようとする課題】
【０００３】上記コースターを冷えた飲み物の入ったコップ等の敷皿として用いた場合、水滴等がコップ等と上記コースターとの間に入るためコップを持ち上げた時にコースターが一緒に持ち上がりやすい。上記コースターの材質によっては、テーブル上を滑りやすいため、コースターが落下することがある。【０００４】この考案の課題は、冷えた飲み物の入ったコップ等を載せた場合でも、飲み物等によってコップ等と一緒に持ち上がることを防ぎ、テーブルとの密着性のよいコースターを提供することにある。
【課題を解決するための手段】
【０００５】上記の課題を解決するため、このコースターは、複数の層によって形成されており、表層部の上面には繊維糸或いは合成繊維糸を使用し刺繍で部分的に柄、文字等で浮上面を作り表層部には繊維素が密集した不織布製の繊維生地が用いられ、またその裏層には樹脂シートが用いられ、その間に、前記表層側の面にその面全体にわたって多数の凸凹部が形成された樹脂シートからなる中間層を介在させ、前記裏層の裏面はつや出し加工がなされている構成を採用したのである。【０００６】前記コースターの表層部の上面に刺繍で柄、文字等で浮上面を作りコップ等が表層部の繊維生地自体に密着することがなく、水滴等が前記コップ等と前記コースターとの間に入っても、コップ等を持ち上げた時、一緒にコースターが持ち上がることを防ぐことができる。【０００７】また、中間層に前記表層側の面にその面全体にわたって多数の凸凹部が形成された樹脂シートが用いられているので、前記コースター上にこぼれた上記飲み物等は、表層に吸収され、中間層の多数の凸部間に形成される凹部に保持される。更に、表層部の上面に刺繍で浮上面を作るため生地自体に密着することを防止でき、これに伴い、コップ等とコースターが密着して、コップ等を持ち上げたとき、一緒にコースターが持ち上がることを防ぐことができる。【０００８】更にまた、前記コースターの裏層の裏面はつや出し加工が施されているので裏面の平滑性が高くテーブルに載せたときにコースターとテーブルとの接触面積が増加するために密着性が増し、両者間の介在空気を排除する。このため、前記コースターが前記テーブル上を移動しにくくなる。
【考案を実施するための形態】
【０００９】この考案の実施の形態を添付図面を参照して説明する。
【００１０】図１に示すように、コースターは複数の層から構成されている。その表層部３には上面に刺繍２で柄、文字を施し浮上面を作る。この表層部には繊維素９が密集した繊維生地が用いられる。このような繊維生地としては、フェルトのように繊維をからみ合わせて圧縮することにより、表面に密集した繊維素が存在するものや、起毛布のように織物生地や編物生地に起毛処理を施して表面に密集した繊維素を形成したものがあげられる。また、それらの生地に用いられる繊維としては、例としては、ポリエステル等の合成繊維や、天然繊維等があげられる。
【００１１】コースターの裏層５には樹脂シートが用いられており、その裏面はつや出し加工がなされている。前記裏面がつや出し加工されていることにより、前記裏面の平滑性を高めることができ、テーブルとの接触面積を増大することができる。このため密着性が増し両者間の介在空気が排除されるため、コースター等がテーブルから移動しにくくなる。裏層５に用いられる樹脂シートとしては、特に限定されないが、つや出し加工により平滑性が増加しうるシートが好ましく、その樹脂の例としては、ビニル系樹脂等があげられる。
【００１２】この裏層５の裏面のつや出し加工は、一般的な方法で行うことができる。例えば、平滑カレンダーロールを前記裏層５の材質の軟化点以上の温度にして、そのロールの裏面５の樹脂シートを所定の速度で通過させればよい。
【００１３】表層３と裏層５の間に、表層３側の面にその面全体にわたって多数の凸部７が形成された樹脂シートからなる中間層４を介在させる。この中間層４の凸部７同志の間に凹部８が形成されるので、表面からしみ込んできた飲み物等をここで保持することができる。この凹部８に保持された上記飲み物等は、その量が凹部８一杯にならない限り表層３と接することはないので、表層３にしみ込んで戻ることはなく、表層の表面上に上記飲み物等がしみ出ることがない。更に表層部の上面に部分的に刺繍を施して浮上面を作っているのでコースター上のコップ等を持ち上げても、コップとコースターの間に飲み物等が介在しないのでコップ等と共にコースターが持ち上がることを防ぐことができる。中間層４に用いられる樹脂としては特に限定されるものではないが、例えばビニル系樹脂等があげられる。
【００１４】前記表層３、裏層５及び中間層４は、いろいろな方法で接合することができる。例えば、接合部分６を接着剤で接合することができるが、表層３、裏層５及び中間層４に用いられた材料が互いに融着するなら、高周波溶接等によって融着することができる
【考案の効果】
【００１５】本考案は請求項１により前記コースターの表層の上面に部分的に図柄や文字等の刺繍で浮上面を作り前記コースターとコップ等の密着を防止し更にその表層には繊維素が密集した不織布製の繊維生地を使用し水滴等が介在しても、コップ等を持ち上げてもコップ等と共にコースターが持ち上がることを防止できる。また、中間層に多数の凸部が形成された樹脂シートが用いられているので、前記コースター上にこぼれた上記飲み物等は、吸収され上記凸部間に形される凹部に保持される。
【００１６】さらに、前記コースターの裏層の裏面はつや出し加工が施されているので、前記コースターとテーブルとの密着性を高められ、前記コースターがテーブル上を移動しにくくなる。
【００１７】さらにまた、前記コースターの表層は表面に不織布製の繊維素が密集した繊維生地を用い、中間層や裏層に樹脂シートを用いるので、前記コースターの厚みを薄くすることができる。
【図面の簡単な説明】
【００１８】
【図１】この実用新案に係るコースターの−実施例を示す一部切欠き斜視図
【図２】同上の断面図
【符号の説明】
【００１９】１  コップ
２  刺繍部
３  表層部（フェルト）
４  中間層
５  裏層部
６  接合部
７  凸部
８  凹部
９  繊維素
【図１】
0003151797.tif 000003
【図２】
0003151797.tif 000004